(57)【要約】【課題】  赤外線送信機等の遠隔制御装置によって制御可能な構成を有する電子機器において、スタンバイモード時の消費電力を大幅に低減させる。【解決手段】  主たる制御を実行する記録制御部１００と、リモコン１２０からの動作モード制御信号を受信する手段を有するサブ制御部１５０とを別個独立させ、記録制御部１００への電力供給をＯＮ／ＯＦＦ可能なスイッチＳＷ２を設ける。通常モードで動作中にリモコン１２０からスタンバイモード制御信号を受信した時点で、サブ制御回路１５０の動作モード制御回路１５１は、動作モードを通常モードからスタンバイモード（スリープモード）へ移行させるとともに、スイッチＳＷ２をＯＦＦ制御して記録制御部１００への電力供給を遮断する。スタンバイモード時には、定電圧直流電源装置１１０の出力電圧を定格電圧（４２Ｖ）からスタンバイ電圧（約１３Ｖ）まで低下させる。【選択図】図５
2005218162.tif 000002
【特許請求の範囲】
【請求項１】
主たる制御を実行するメイン制御回路と、
遠隔制御装置からの動作モード制御信号を受信する受信手段を有するサブ制御回路と、
前記メイン制御回路への電力供給をＯＮ／ＯＦＦ可能なメイン制御電力ＯＮ／ＯＦＦ手段とを備え、
前記サブ制御回路は、前記遠隔制御装置から受信した動作モード制御信号がスタンバイモード制御信号であった場合に動作モードを通常モードから通常モードより消費電力の小さいスタンバイモードへ移行させる動作モード制御手段を有し、動作モードがスタンバイモードへ移行している間、前記メイン制御電力ＯＮ／ＯＦＦ手段をＯＦＦ制御する、ことを特徴とした電子機器。
【請求項２】
請求項１において、電圧制御端子を有する定電圧直流電源装置を備え、前記サブ制御回路は、前記動作モード制御手段による動作モードが通常モードである場合には、前記定電圧直流電源装置の出力電圧が定格電圧となり、前記動作モード制御手段による動作モードがスタンバイモードである場合には、前記サブ制御回路が動作可能な範囲で定格電圧より低いスタンバイ電圧まで前記定電圧直流電源装置の出力電圧が低下する如く前記電圧制御端子の電圧を制御する、ことを特徴とした電子機器。
【請求項３】
請求項２において、前記電圧制御端子を０Ｖに短絡すると出力電圧が定格電圧となり、前記電圧制御端子をハイインピーダンスにすると出力電圧がスタンバイ電圧まで低下する構成を有する前記定電圧直流電源装置と、
前記サブ制御回路によりＯＮ／ＯＦＦ制御可能であり、ＯＦＦしている状態で前記電圧制御端子がハイインピーダンスとなり、ＯＮしている状態で前記電圧制御端子が０Ｖに短絡される構成を有する電圧制御回路とを備え、
前記サブ制御回路は、電源スイッチの操作状態を検出する手段を有し、前記動作モード制御手段による動作モードが通常モードで、前記電源スイッチが操作されたことを検出した場合、又は前記遠隔制御装置からスタンバイモード制御信号を受信した場合には、前記動作モード制御手段による動作モードを通常モードからスタンバイモードへ移行させ、前記電圧制御回路の制御状態をＯＮからＯＦＦへ切り換える、ことを特徴とした電子機器。
【請求項４】
請求項３において、前記サブ制御回路は、前記動作モード制御手段による動作モードがスタンバイモードで、前記電源スイッチが操作されたことを検出した場合、又は前記遠隔制御装置から通常モード制御信号を受信した場合には、前記動作モード制御手段による動作モードをスタンバイモードから通常モードへ移行させ、前記電圧制御回路の制御状態をＯＦＦからＯＮへ切り換える、ことを特徴とした電子機器。
【請求項５】
請求項３又は４において、前記メイン制御回路は、電源スイッチの操作状態を検出する手段を有し、前記動作モード制御手段による動作モードが通常モードで前記電源スイッチが操作されたことを検出した場合、又は所定のスタンバイモード移行条件が成立した場合には、前記動作モード制御手段による動作モードを通常モードからスタンバイモードへ移行させ、前記電圧制御回路の制御状態をＯＮからＯＦＦへ切り換える、ことを特徴とした電子機器。
【請求項６】
請求項５において、前記電圧制御回路は、前記メイン制御回路が出力するＯＮ制御信号と前記サブ制御回路が出力するＯＮ制御信号との論理和で電圧制御用トランジスタがＯＮ制御され、電圧制御用トランジスタがＯＦＦしている状態で前記電圧制御端子がハイインピーダンスとなり、ＯＮしている状態で前記電圧制御端子が０Ｖに短絡される構成を有する、ことを特徴とした電子機器。
【請求項７】
請求項３〜６のいずれか１項において、前記電源スイッチは、非操作状態で前記電圧制御端子がハイインピーダンスとなり、操作状態で前記電圧制御端子が０Ｖに短絡される如く配設されている、ことを特徴とした電子機器。
【請求項８】
請求項７において、前記電圧制御端子と前記電源スイッチの接点回路との間に前記電圧制御端子から前記電源スイッチへのみ電流が流れる如くダイオードが設けられているとともに、前記ダイオードのカソード側が前記サブ制御回路の電源電圧でプルアップされており、前記電圧制御回路がＯＮしている状態では、前記ダイオードのアノード側が０Ｖに短絡される構成を有し、前記サブ制御回路は、前記ダイオードのカソード側の電圧を検出して前記電源スイッチの操作状態を検出する、ことを特徴とした電子機器。
【請求項９】
請求項１〜８のいずれか１項において、スタンバイモードである間は、前記サブ制御回路をリセットする信号を無効にするリセット信号制御回路を備えている、ことを特徴とした電子機器。
【請求項１０】
請求項１〜９のいずれか１項において、被記録材へインクを噴射する記録ヘッドを主走査方向へ往復動させる主走査駆動手段と、前記被記録材を副走査方向へ所定の搬送量にて搬送する副走査駆動手段とを備え、前記メイン制御回路は、外部装置から入力した記録制御データ、及び前記サブ制御回路が前記遠隔制御装置から受信した制御信号に基づいて、前記記録ヘッド、前記主走査駆動手段、及び副走査駆動手段を制御して被記録材への記録を実行する記録制御手段を有している、ことを特徴とした電子機器。
【発明の詳細な説明】
【技術分野】
【０００１】
本発明は、赤外線送信機等の遠隔制御装置によって制御可能な構成を有する電子機器に関する。
【背景技術】
【０００２】
一般的な電子機器において、例えば、ファクシミリやインクジェット式記録装置等の記録装置のように、長時間電源をＯＮ状態のまま使用されるが電子機器としての動作時間より、いつでも動作開始可能な状態で待機している時間の方が圧倒的に長い使用状況で使用される電子機器がある。このような電子機器は、使用されない状態が一定時間継続した場合には、定格消費電力となる通常の動作モードから電子機器内部の消費電力を小さくしたスタンバイモード（省電力モード）へ移行するようになっているのが一般的である。具体的には電力消費量の大きいモータ等の駆動力源への電力供給を遮断したり、電源装置の出力電圧を定格電圧より低い電圧（以下、スタンバイ電圧とする）まで低下させて液晶表示の輝度を低下させたりする等によって、電子機器の消費電力、及び電源装置の消費電力を小さくすることができる（例えば、特許文献１参照）。
【０００３】
【特許文献１】特許第３２８１７７０号公報
【発明の開示】
【発明が解決しようとする課題】
【０００４】
しかしながら、例えば、赤外線送信機等の遠隔制御装置（いわゆるリモコンのこと。以下、適宜リモコンと呼ぶ場合もある）による操作が可能な電子機器においては（例えば、特許文献１参照）、リモコンによる電子機器の制御機能をスタンバイモード時にも機能させておかないと、リモコン操作によって電子機器をスタンバイモードから通常モードへ復帰させることができない。そのため、電子機器を制御する制御装置（例えば、マイクロプロセッサを有するマイコン制御装置）は、スタンバイモード時にも動作させておかなければならなかった。したがって、リモコンによる操作が可能な電子機器においては、スタンバイモード時においても制御装置は動作した状態を維持せざるを得ず、電源装置の出力電圧を低下させることによる電子機器のスタンバイモード時の省電力には限界があった。近年、より低消費電力の電子機器が求められるようになりつつある中で、前述したファクシミリやインクジェット式記録装置等の記録装置のように、長時間電源をＯＮ状態のまま使用されるが電子機器としての動作時間より、いつでも動作開始可能な状態で待機しているスタンバイモードでの動作時間の方が圧倒的に長い使用状況で使用される電子機器においては、スタンバイモード時における消費電力をいかに低減させるかが課題であると言える。
【０００５】
本発明は、このような状況に鑑み成されたものであり、その課題は、赤外線送信機等の遠隔制御装置によって制御可能な構成を有する電子機器において、スタンバイモード時の消費電力を大幅に低減させることにある。
【課題を解決するための手段】
【０００６】
上記課題を達成するため、本発明の第１の態様は、主たる制御を実行するメイン制御回路と、遠隔制御装置からの動作モード制御信号を受信する受信手段を有するサブ制御回路と、前記メイン制御回路への電力供給をＯＮ／ＯＦＦ可能なメイン制御電力ＯＮ／ＯＦＦ手段とを備え、前記サブ制御回路は、前記遠隔制御装置から受信した動作モード制御信号がスタンバイモード制御信号であった場合に動作モードを通常モードから通常モードより消費電力の小さいスタンバイモードへ移行させる動作モード制御手段を有し、動作モードがスタンバイモードへ移行している間、前記メイン制御電力ＯＮ／ＯＦＦ手段をＯＦＦ制御する、ことを特徴とした電子機器である。
【０００７】
ここで、メイン制御回路とは、電子機器における主たる制御機能を実現する制御装置であり、例えば、高速で処理能力が高く消費電力の大きいマイクロプロセッサを有するマイコン制御装置等である。一方、サブ制御回路は、電子機器における遠隔制御装置（リモコン）からの動作モード制御信号を受信する受信手段やそれ以外の付加的な機能のみを実現するための制御装置であり、例えば、比較的低速で処理能力が小さい低消費電力のマイクロプロセッサを有するマイコン制御装置等である。このように、主たる制御を実行するメイン制御回路と、遠隔制御装置からの動作モード制御信号を受信する手段を有するサブ制御回路とを別個独立させ、メイン制御回路への電力供給をＯＮ／ＯＦＦ可能なメイン制御電力ＯＮ／ＯＦＦ手段を設ける。そして、通常モードで動作中にリモコンからスタンバイモード制御信号を受信した時点で、サブ制御回路は、動作モードを通常モードからスタンバイモードへ移行させるとともに、メイン制御電力ＯＮ／ＯＦＦ手段をＯＦＦ制御してメイン制御回路への電力供給を遮断する。それによって、スタンバイモード時に消費電力が高いメイン制御回路への電源供給をＯＦＦして電子機器の消費電力を大幅に低減させつつ、リモコンからの動作モード制御信号を受信することが可能になる。したがって、赤外線送信機等の遠隔制御装置によって制御可能な構成を有する電子機器において、スタンバイモード時の消費電力を大幅に低減させることができるという作用効果が得られる。
【０００８】
本発明の第２の態様は、前述した第１の態様において、電圧制御端子を有する定電圧直流電源装置を備え、前記サブ制御回路は、前記動作モード制御手段による動作モードが通常モードである場合には、前記定電圧直流電源装置の出力電圧が定格電圧となり、前記動作モード制御手段による動作モードがスタンバイモードである場合には、前記サブ制御回路が動作可能な範囲で定格電圧より低いスタンバイ電圧まで前記定電圧直流電源装置の出力電圧が低下する如く前記電圧制御端子の電圧を制御する、ことを特徴とした電子機器である。
【０００９】
このように、電子機器の電源装置として電圧制御端子を有する定電圧直流電源装置を設け、通常モード時には、定電圧直流電源装置の出力電圧が定格電圧となり、スタンバイモード時には、定電圧直流電源装置の出力電圧がスタンバイ電圧となるようにする。スタンバイ電圧は、サブ制御回路が動作可能な範囲で定格電圧よりも低い電圧に設定され、それによって、スタンバイモード時の電子機器の消費電力を低減させることができる。尚、スタンバイ電圧は、サブ制御回路が動作可能な範囲でより低い電圧に設定されるのが好ましく、それによって、赤外線送信機等の遠隔制御装置によって制御可能な構成を有する電子機器において、スタンバイモード時の消費電力を大幅に低減させることができるという作用効果に加えて、スタンバイモード時の電子機器の消費電力をより低減させることができるという作用効果が得られる。
【００１０】
本発明の第３の態様は、前述した第２の態様において、前記電圧制御端子を０Ｖに短絡すると出力電圧が定格電圧となり、前記電圧制御端子をハイインピーダンスにすると出力電圧がスタンバイ電圧まで低下する構成を有する前記定電圧直流電源装置と、前記サブ制御回路によりＯＮ／ＯＦＦ制御可能であり、ＯＦＦしている状態で前記電圧制御端子がハイインピーダンスとなり、ＯＮしている状態で前記電圧制御端子が０Ｖに短絡される構成を有する電圧制御回路とを備え、前記サブ制御回路は、電源スイッチの操作状態を検出する手段を有し、前記動作モード制御手段による動作モードが通常モードで、前記電源スイッチが操作されたことを検出した場合、又は前記遠隔制御装置からスタンバイモード制御信号を受信した場合には、前記動作モード制御手段による動作モードを通常モードからスタンバイモードへ移行させ、前記電圧制御回路の制御状態をＯＮからＯＦＦへ切り換える、ことを特徴とした電子機器である。
【００１１】
このように、定電圧直流電源装置の電圧制御端子をハイインピーダンス状態（ＯＦＦ制御状態）又は０Ｖに短絡させた状態（ＯＮ制御状態）にすることによって、定電圧直流電源装置の出力電圧を定格電圧又はスタンバイ電圧に設定可能な電圧制御回路を設ける。また、電子機器の電源スイッチの操作状態を検出する手段をサブ制御回路に設ける。そして、電子機器の動作モードが通常モードであるときに（電圧制御回路がＯＮ制御状態）、サブ制御回路は、電子機器の電源スイッチが操作されたことを検出した場合、又は遠隔制御装置（リモコン）からスタンバイモード制御信号を受信した場合には、電子機器の動作モードをスタンバイモードへ移行させるとともに、電圧制御回路の制御状態をＯＮ制御状態からＯＦＦ制御状態に切り換えて電圧制御端子をハイインピーダンス状態にし、定電圧直流電源装置の出力電圧を定格電圧からスタンバイ電圧まで低下させる。したがって、赤外線送信機等の遠隔制御装置によって制御可能な構成を有する電子機器において、スタンバイモード時の消費電力を大幅に低減させることができるという作用効果に加えて、電子機器の動作モードが通常モードであるときには、電源スイッチの操作、又はリモコンによる遠隔操作のいずれによっても動作モードをスタンバイモードへ移行させることが可能になるという作用効果が得られる。
【００１２】
本発明の第４の態様は、前述した第３の態様において、前記サブ制御回路は、前記動作モード制御手段による動作モードがスタンバイモードで、前記電源スイッチが操作されたことを検出した場合、又は前記遠隔制御装置から通常モード制御信号を受信した場合には、前記動作モード制御手段による動作モードをスタンバイモードから通常モードへ移行させ、前記電圧制御回路の制御状態をＯＦＦからＯＮへ切り換える、ことを特徴とした電子機器である。
【００１３】
このように、電子機器の動作モードがスタンバイモードであるときに（電圧制御回路がＯＦＦ制御状態）、サブ制御回路は、電子機器の電源スイッチが操作されたことを検出した場合、又は遠隔制御装置（リモコン）から通常モード制御信号を受信した場合には、電子機器の動作モードを通常モードへ移行させるとともに、電圧制御回路の制御状態をＯＦＦ制御状態からＯＮ制御状態に切り換えて電圧制御端子を０Ｖに短絡した状態とし、定電圧直流電源装置の出力電圧をスタンバイ電圧から定格電圧まで上昇させる。したがって、前述した第３の態様に示した発明による作用効果に加えて、電子機器の動作モードがスタンバイモードであるときには、電源スイッチの操作、又はリモコンによる遠隔操作のいずれによっても動作モードを通常モードへ移行させることが可能になるという作用効果が得られる。
【００１４】
本発明の第５の態様は、前述した第３の態様又は第４の態様において、前記メイン制御回路は、電源スイッチの操作状態を検出する手段を有し、前記動作モード制御手段による動作モードが通常モードで前記電源スイッチが操作されたことを検出した場合、又は所定のスタンバイモード移行条件が成立した場合には、前記動作モード制御手段による動作モードを通常モードからスタンバイモードへ移行させ、前記電圧制御回路の制御状態をＯＮからＯＦＦへ切り換える、ことを特徴とした電子機器である。  
このように、電子機器の動作モードが通常モードである場合には、メイン制御回路からも電圧制御回路の制御状態の切換が可能な構成とすることによって、電子機器が通常モードで動作している状態において、電源スイッチが操作された場合のみならず、その他の所定のスタンバイモード移行条件が成立した場合にも動作モードをスタンバイモードへ移行させることが可能になる。
【００１５】
本発明の第６の態様は、前述した第５の態様において、前記電圧制御回路は、前記メイン制御回路が出力するＯＮ制御信号と前記サブ制御回路が出力するＯＮ制御信号との論理和で電圧制御用トランジスタがＯＮ制御され、電圧制御用トランジスタがＯＦＦしている状態で前記電圧制御端子がハイインピーダンスとなり、ＯＮしている状態で前記電圧制御端子が０Ｖに短絡される構成を有する、ことを特徴とした電子機器である。  
このように、ＯＦＦしている状態で電圧制御端子がハイインピーダンスとなり、ＯＮしている状態で電圧制御端子が０Ｖに短絡されるように電圧制御用トランジスタを設け、メイン制御回路が出力するＯＮ制御信号とサブ制御回路が出力するＯＮ制御信号との論理和で電圧制御用トランジスタがＯＮ制御されるように電圧制御回路を構成することによって、メイン制御回路及びサブ制御回路のいずれからも定電圧直流電源装置の出力電圧を制御することが可能になる。
【００１６】
本発明の第７の態様は、前述した第３の態様〜第６の態様のいずれかにおいて、前記電源スイッチは、非操作状態で前記電圧制御端子がハイインピーダンスとなり、操作状態で前記電圧制御端子が０Ｖに短絡される如く配設されている、ことを特徴とした電子機器である。
【００１７】
例えば、スタンバイモード時にサブ制御回路が何らかの異常によって正常に動作していない場合には、メイン制御回路への電源供給が遮断されてメイン制御回路は動作していないので、リモコンによる遠隔操作によって電子機器の動作モードを通常モードへ移行させることができないばかりでなく、電源スイッチの操作によっても電子機器の動作モードを通常モードへ移行させることができない状態になってしまう可能性がある。そこで、このように、電源スイッチの操作で定電圧直流電源装置の電圧制御端子を直接０Ｖに短絡することができるようにすることによって、例えば、スタンバイモード時にサブ制御回路が何らかの異常によって正常に動作していない場合でも電源スイッチの操作によって、定電圧直流電源装置の出力電圧をスタンバイ電圧から定格電圧まで上昇させて電子機器の動作状態を通常モードに移行させることができる。
【００１８】
本発明の第８の態様は、前述した第７の態様において、前記電圧制御端子と前記電源スイッチの接点回路との間に前記電圧制御端子から前記電源スイッチへのみ電流が流れる如くダイオードが設けられているとともに、前記ダイオードのカソード側が前記サブ制御回路の電源電圧でプルアップされており、前記電圧制御回路がＯＮしている状態では、前記ダイオードのアノード側が０Ｖに短絡される構成を有し、前記サブ制御回路は、前記ダイオードのカソード側の電圧を検出して前記電源スイッチの操作状態を検出する、ことを特徴とした電子機器である。
【００１９】
電源スイッチの操作で定電圧直流電源装置の電圧制御端子を直接０Ｖに短絡することができる構成とした場合には、電圧制御端子と電源スイッチの接点回路との間に電圧制御端子から電源スイッチへのみ電流が流れる如くダイオードを設ける。また、そのダイオードのカソード側をサブ制御回路の電源電圧でプルアップし、電圧制御回路で定電圧直流電源装置の電圧制御端子を０Ｖに短絡する際には、ダイオードのアノード側を０Ｖに短絡するように構成する。電源スイッチを操作している間は、電圧制御端子がダイオード及び電源スイッチを経由して０Ｖに短絡される。一方、電圧制御回路がＯＮしている状態では、電圧制御端子がダイオードのアノード側で０Ｖに短絡されるので、ダイオードのカソード側の電圧はプルアップ電圧に維持される。つまり、電圧制御端子に接続されているダイオードのアノード側は、電源スイッチを操作している間、又は電圧制御回路がＯＮしている間は、ともに０Ｖに短絡されるが、ダイオードのカソード側は、電源スイッチを操作している間のみ０Ｖに短絡され、それ以外の間はプルアップ電圧に維持されることになる。したがって、電源スイッチの操作で定電圧直流電源装置の電圧制御端子を直接０Ｖに短絡することができる構成とした場合でも、サブ制御回路（又はメイン制御回路）は、ダイオードのカソード側の電圧を検出することで電源スイッチの操作状態を正確に検出することができる。
【００２０】
本発明の第９の態様は、前述した第１の態様〜第８の態様のいずれかにおいて、スタンバイモードである間は、前記サブ制御回路をリセットする信号を無効にするリセット信号制御回路を備えている、ことを特徴とした電子機器である。
【００２１】
スタンバイモード時には、何らかの要因でサブ制御回路にリセット信号が入力されてサブ制御回路がリセットされてしまうと、つまり、メイン制御回路が動作していない状態でサブ制御回路がリセットされてしまうと、リセット信号が発生している間は、メイン制御回路及びサブ制御回路の両方が動作していない状態となるので、その間は電子機器の制御ができない状態になるばかりでなく、リセット後にサブ制御回路が正常に動作することができない可能性もある。そこで、スタンバイモード時には、つまり、メイン制御回路が動作していない間には、サブ制御回路へのリセット信号を無効にする回路を設けて、リセット信号が発生してもサブ制御回路がリセットされないようにする。それによって、スタンバイモード時にメイン制御回路及びサブ制御回路の両方が動作していない状態になることを防止することができる。
【００２２】
本発明の第１０の態様は、前述した第１の態様〜第９の態様のいずれかにおいて、被記録材へインクを噴射する記録ヘッドを主走査方向へ往復動させる主走査駆動手段と、前記被記録材を副走査方向へ所定の搬送量にて搬送する副走査駆動手段とを備え、前記メイン制御回路は、外部装置から入力した記録制御データ、及び前記サブ制御回路が前記遠隔制御装置から受信した制御信号に基づいて、前記記録ヘッド、前記主走査駆動手段、及び副走査駆動手段を制御して被記録材への記録を実行する記録制御手段を有している、ことを特徴とした電子機器である。
【００２３】
本発明の第１０の態様に示した電子機器によれば、記録紙へ記録する手段を備えたインクジェット式記録装置やファクシミリ等の記録装置、或いは、記録紙へ記録する手段に加えてスキャナやコピー機能等を備えたデジタル複合機等の電子機器において、前述した第１の態様〜第９の態様のいずれかに記載の発明による作用効果を得ることができる。
【発明を実施するための最良の形態】
【００２４】
以下、本発明の実施の形態を図面に基づいて説明する。  
図１は、インクジェット式記録装置の斜視図であり、図２は、本体カバーを取り外した状態のインクジェット式記録装置の斜視図である。また、図３、はインクジェット式記録装置の側断面概略図である。図４は、インクジェット式記録装置の各種制御を行う制御部のブロック図である。
【００２５】
まず、図１〜図３を参照しながら本発明に係る「電子機器」としてのインクジェット式記録装置５０の概略構成について説明する。インクジェット式記録装置５０は、箱形の外観形状を成しており、ビデオテープレコーダ程の大きさに形成されていて、オーディオラックやテレビラック等へ収納された状態で使用されることを想定した構成となっている。箱形の本体カバー１の前面中央には、手前に開閉可能なフロントカバー２が設けられており、フロントカバー２を手前に開いた部分の開口部からは、記録が行われた後の「被記録材」としての記録紙Ｐが排出されるとともに、ＤＶＤ等の光記録ディスクＤのラベル面に記録を実行する際には、ディスクトレイ７に装着された「被記録材」としての光記録ディスクＤへの記録実行中にインクジェット記録装置５０の内部からディスクトレイ７が一時的に突出する構成となっている。また、フロントカバー２は、手前側へ開いた状態で記録が行われた後に排出される記録紙Ｐを積重するスタッカとなる。フロントカバー２の下側には、記録紙Ｐを積重するための「記録紙収容部」としての給紙カセット８が設けられており、手前側に引き出した状態で給紙カセット８内に記録紙Ｐを積重することができるようになっている。また、フロントカバー２の上側には、上方に開閉可能な開閉カバー３が設けられており、開閉カバー３の中には、インクカートリッジユニット１５が設けられている。インクカートリッジユニット１５には、インクが充填されたインクカートリッジ１６（図３参照）がインクジェット式記録装置５０の幅方向に複数並んで着脱自在に配設されており、開閉カバー３を開いた状態でインクカートリッジ１６の交換が可能な構成となっている。また、フロントカバー２の向かって左側には、フラッシュメモリカード等を着脱可能なメモリスロットを有するメモリスロットカバー４が配設されている。さらに、メモリスロットカバー４の下側には、「遠隔制御装置」としてのリモコン１２０からの制御信号を受信するリモコン受光器６が配設されている。
【００２６】
つづいて、図２を参照しながらインクジェット式記録装置５０の内部構成の概略について説明する。インクジェット式記録装置５０の基体は、下部シャーシ１３、インクジェット式記録装置５０の本体の幅方向に延びるメインフレーム１１、及びメインフレーム１１の両側に配設されたインクジェット式記録装置５０の本体の奥行き方向に平行なサイドフレーム右１２とサイドフレーム左１４で構成されている。サイドフレーム右１２とサイドフレーム左１４との間には、主走査方向Ｘと平行にキャリッジガイド軸５１とサブキャリッジガイド軸５１１とが副走査方向Ｙに所定の間隔を置いて軸支されている。キャリッジガイド軸５１及びサブキャリッジガイド軸５１１は、記録紙Ｐへインクを噴射する記録ヘッド６２を搭載したキャリッジ６１を主走査方向Ｘに往復動可能に支持する為のガイド軸であり、キャリッジガイド軸５１はキャリッジ６１の後部を挿通し、サブキャリッジガイド軸５１１はキャリッジ６１の前部を下から支持して、これによって、キャリッジ６１に搭載された記録ヘッド６２（図３）と、記録ヘッド６２のヘッド面と対向する記録紙Ｐとの間の距離（プラテンギャップ：以下「ＰＧ」と言う）が規定された状態でキャリッジ６１が主走査方向Ｘに往復動可能に支持される。
【００２７】
つづいて、図２及び図３を参照しながら「被記録材」としての記録紙Ｐ及びディスクトレイ７の搬送経路について説明する。  
後述する「副走査駆動手段」へ向けて記録紙Ｐを被記録材として１枚ずつ自動給紙する「自動給紙装置」は、給紙カセット８と給紙ローラ８３を備えている。複数枚の記録紙Ｐが積重される給紙カセット８の底部には、ホッパ８１が設けられている。ホッパ８１は軸８２を揺動軸として揺動可能に配設されており、ホッパ８１の上に積重された記録紙Ｐを下方から押し上げることにより、上部に設けられた給紙ローラ８３へ記録紙Ｐを押圧する。給紙ローラ８３は側面視略Ｄ形の形状を成し、外周は高摩擦部材（例えば、ゴム材）によって形成されている。記録紙Ｐの給紙時には給紙ローラ８３の円弧部分に当接している最上位の記録紙Ｐが、給紙ローラ８３の回転によって、副走査方向Ｙへ給紙される。また、「自動給紙装置」は、給紙ローラ８３の下部に配設され、ホッパ８１によって給紙ローラ８３の外周面に表面が押圧された記録紙Ｐが給紙ローラ８３の駆動回転によって給紙方向（副走査方向Ｙ）へ給紙される際に他の記録紙Ｐが重なった状態で重送されることを防止する「分離手段」としての分離パッド（図示せず）を備えている。分離パッドと給紙ローラ８３との間で記録紙Ｐを挟持した状態で給紙ローラ８３を回転させて給紙することにより、給紙されるべき記録紙Ｐと、重送されようとする他の記録紙Ｐとが分離されるようになっている。さらに、「自動給紙装置」は、分離パッドによって分離された記録紙Ｐが積重されている給紙カセット８の外へ一部突出した状態の記録紙Ｐを給紙カセット８内へ押し戻すために、その給紙カセット８の外へ一部突出した状態の記録紙Ｐの先端を給紙カセット８へ向けて押動する如く、給紙ローラ８３の下部に給紙経路へ進出可能に配設された紙戻しレバー（図示せず）を備えている。
【００２８】
給紙ローラ８３の副走査方向Ｙの下流側には、高摩擦抵抗被膜が外周面に一様に施された搬送駆動ローラ５３と、搬送駆動ローラ５３へ押圧付勢された状態で従動回転可能に軸支されている搬送従動ローラ５４とが配設されており、搬送駆動ローラ５３を駆動する「搬送駆動用モータ」としてのＰＦモータ５７、及び搬送駆動ローラ５３の回転量を検出する「回転量検出手段」としてのロータリエンコーダ３１とで、記録紙Ｐ又はディスクトレイ７を副走査方向Ｙへ所定の搬送量にて搬送する「副走査駆動手段」が構成されている。「副走査駆動手段」は、搬送駆動ローラ５３と搬送従動ローラ５４とで記録紙Ｐ又はディスクトレイ７を挟持し、ＰＦモータ５７の回転駆動力が無端ベルト５８を介してプーリ５９へ伝達され、プーリ５９の回転が図示していない中間歯車等を介して伝達されて駆動回転する搬送駆動ローラ５３の回転によって記録紙Ｐ又はディスクトレイ７を副走査方向Ｙへ搬送する。そして、所定の搬送量で記録紙Ｐ又はディスクトレイ７が搬送されるように、ロータリエンコーダ３１によって検出される搬送駆動ローラ５３の回転量に応じてＰＦモータ５７の回転量が後述する記録制御部１００によって制御される。
【００２９】
搬送駆動ローラ５３の副走査方向Ｙの下流側には、プラテン５２が記録ヘッド６２のヘッド面と上下に対向するように配設されている。前述した「副走査駆動手段」によって搬送された記録紙Ｐ又はディスクトレイ７は、プラテン５２によって下から支持された状態で、「主走査駆動手段」によって主走査方向Ｘへ往復動する記録ヘッド６２からインクが噴射されることによって記録が行われる。「主走査駆動手段」は、キャリッジ６１とキャリッジ６１を往復動させる駆動力源となる「キャリッジ駆動用モータ」としてのＣＲモータ６３とを有しており、ＣＲモータ６３の回転駆動力は、図示していない無端ベルト等による駆動力伝達機構を介して回転運動が直線の往復運動に変換されてキャリッジ６１へ伝達されるように構成されている。尚、当該実施例においては、記録ヘッド６２はキャリッジ６１の底部に設けられているが、主走査方向Ｘに往復動するキャリッジ６１にはインクカートリッジが搭載されておらず、前述したインクカートリッジユニット１５に格納されている複数のインクカートリッジ１６からフレキシブル集合チューブ１７を介してキャリッジ６１へとインクが供給されるようになっている。フレキシブル集合チューブ１７には、独立したインク供給経路がインクカートリッジ１６の数だけ内部に形成されている。各インクカートリッジ１６のインクは、ポンプ等（図示せず）によって加圧されて、フレキシブル集合チューブ１７を経由して個別に記録ヘッド６２へ供給されるようになっている。
【００３０】
記録ヘッド６２の副走査方向Ｙの下流側には、ＰＦモータ５７の回転駆動力が伝達されて駆動回転する排紙駆動ローラ５５と、排紙駆動ローラ５５に付勢された状態で従動回転可能に軸支されている排紙従動ローラ５６とが配設されている。記録実行中及び記録実行後の記録紙Ｐは、排紙駆動ローラ５５と排紙従動ローラ５６とで挟持され、ＰＦモータ５７の回転駆動力が無端ベルト５８を介してプーリ５９へ伝達され、プーリ５９の回転が図示していない中間歯車等を介して伝達されて駆動回転する排紙駆動ローラ５５の回転によって副走査方向Ｙへフロントパネル２を開いた状態の開口部から排出される。また、光記録ディスクＤを装着可能なディスクトレイ７は、給紙カセット８の上方に配置されている。ディスクトレイ７は、側端にラック７１（図２参照）が形成されており、ラック７１と噛合する図示していないピニオン歯車の回動によって略水平な姿勢で真っ直ぐに移動できるように配設されている。そして、ディスクトレイ７は、ピニオン歯車の回動によって先端が搬送駆動ローラ５３と搬送従動ローラ５４とに挟持されるまで搬送された後、以降は搬送駆動ローラ５３を双方向へ回転させることによって、副走査方向Ｙ、或いは逆送方向ＹＲに送られる。また、ディスクトレイ７へ光記録ディスクＤを着脱する際には、フロントパネル２を開いた開口部から突出した位置（図２の仮想線で示した位置）まで副走査方向Ｙへ搬送される。
【００３１】
つづいて、図４を参照しながら記録制御部１００の構成について説明する。  
記録制御部１００は、インクジェット式記録装置５０に記録制御データを送信するホスト・コンピュータ２００とデータ送受信可能に接続される。記録制御部１００は、ＲＯＭ１０１、ＲＡＭ１０２、インタフェース部１０３、ＭＰＵ１０４、ＤＣユニット１０５、ＰＦモータドライバ１０６、ＣＲモータドライバ１０７、ヘッドドライバ１０８、及び不揮発性メモリ１０９を備えている。ＭＰＵ１０４およびＤＣユニット１０５には、搬送駆動ローラ５３の回転量を検出する「回転量検出手段」としてのロータリエンコーダ３１、キャリッジ６１の移動量を検出する「キャリッジ移動量検出手段」としてのリニアエンコーダ３２、搬送される記録紙Ｐの始端及び終端を検出する紙検出器３３、キャリッジ６１に搭載された記録紙Ｐの主走査方向Ｘの幅を検出するＰＷセンサ３４、インクジェット式記録装置５０の電源をＯＮ／ＯＦＦするための電源スイッチ３５、及びディスクトレイ７の出し入れ操作を行うためのトレイスイッチ３６の出力信号が入力される。尚、当該実施例においては、ＰＷセンサ３４は、キャリッジ６１の底部に設けられた光学センサであり、キャリッジ６１の主走査によって記録紙Ｐの副走査方向Ｙの幅を検出するとともに、ディスクトレイ７に付された識別マーク（図示せず）を認識することにより、ディスクトレイ７の送り位置を検出する為に用いられる。さらに、ディスクトレイ７上の光記録ディスクＤの有無や、光記録ディスクＤの中心位置の検出にも用いられる。
【００３２】
ＭＰＵ１０４はインクジェット式記録装置５０の制御プログラムを実行する為の演算処理やその他必要な演算処理を行う。ＲＯＭ１０１には、インクジェット式記録装置５０を制御する為に必要な制御プログラム（ファームウェア）および処理に必要なデータ等が格納されている。インタフェース部１０３は、ホスト・コンピュータ２００との通信インタフェース機能を有しており、ホスト・コンピュータ２００から記録制御データを受信する。ＲＡＭ１０２は、ＭＰＵ１０４の作業領域やインタフェース部１０３を介してホスト・コンピュータ２００からデータ転送される記録制御データを含む各種データの一次格納領域として用いられる。不揮発性メモリ１０９は、インクジェット式記録装置５０の電源をＯＦＦした後も保持しておく必要がある各種情報が記憶される。ＤＣユニット１０５は、ＤＣモータであるＰＦモータ５７及びＣＲモータ６３の速度制御を行う為の制御回路である。ＤＣユニット１０５は、ＭＰＵ１０４から送られてくる制御命令、ロータリエンコーダ３１の出力信号、及びリニアエンコーダ３２の出力信号、並びに紙検出器３３の出力信号に基づいて、ＰＦモータ５７及びＣＲモータ６３の速度制御を行う為の各種演算を行い、その演算結果に基づくモータ制御信号をＰＦモータドライバ１０６及びＣＲモータドライバ１０７へ送出する。ＰＦモータドライバ１０６は、ＤＣユニット１０５からのモータ制御信号に基づいてＰＦモータ５７を駆動制御する。ＰＦモータ５７は、当該実施例においては、給紙ローラ８３、搬送駆動ローラ５３、排紙駆動ローラ５５、及びディスクトレイ７の側端に形成されたラック７１（図２参照）と噛合してディスクトレイ７の搬送を行うピニオン歯車（図示せず）の回転駆動力源となる。ＣＲモータドライバ１０７は、ＤＣユニット１０５からのモータ制御信号に基づいてＣＲモータ６３を駆動制御することによりキャリッジ６１を主走査方向に往復動させ、または停止保持させる。ヘッドドライバ１０８は、ＭＰＵ１０４からのヘッド制御信号に基づいて記録ヘッド６２を駆動制御する。
【００３３】
つづいて、図５を参照しながら本発明に係る「電子機器」としてのインクジェット式記録装置５０の電源系統、及び通常モード時とスタンバイモード時における電源制御について説明する。
【００３４】
図５は、インクジェット式記録装置５０の電源系統図である。  
インクジェット式記録装置５０は、定電圧直流電源装置１１０を備えている。定電圧直流電源装置１１０は電圧制御端子ＰＳＣを有し、電圧制御端子ＰＳＣは、電圧制御回路２１又は電源スイッチ３５によって制御される。定電圧直流電源装置１１０の出力電圧は、電圧制御端子ＰＳＣを０Ｖに短絡させている間は、「定格電圧」としての４２Ｖに維持され、電圧制御端子ＰＳＣをハイインピーダンスに維持している間は、「スタンバイ電圧」としての約１３Ｖに維持される。
定電圧直流電源装置１１０の出力には、定電圧直流電源装置１１０から電力を供給される「負荷装置」として、前述したＰＦモータ５７、ＣＲモータ６３、記録ヘッド６２、及び定電圧直流電源装置１１０の出力電圧を制御回路用電圧５Ｖに変換して出力するＤＣ−ＤＣコンバータ２２、並びにＤＣ−ＤＣコンバータ２２を介して、インクジェット式記録装置５０の主たる制御を実行する「メイン制御回路」としての記録制御部１００、及び「サブ制御回路」としてのサブ制御部１５０が接続されている。ＰＦモータ５７、ＣＲモータ６３、及び記録ヘッド６２は、定電圧直流電源装置１１０の出力から直接電源を供給され、「定格電圧」としての４２Ｖで動作し、定電圧直流電源装置１１０の出力電圧が「スタンバイ電圧」としての約１３Ｖまで低下しているときは動作しない。
ＤＣ−ＤＣコンバータ２２は、「定格電圧」としての４２Ｖで動作するとともに、定電圧直流電源装置１１０の出力電圧が「スタンバイ電圧」としての約１３Ｖまで低下しても出力電圧を制御回路用電圧５Ｖに維持することが可能な構成を有している。ＤＣ−ＤＣコンバータ２２から出力される制御回路用電圧５Ｖは、記録制御部１００、及びサブ制御部１５０へ供給される。このように、ＤＣ−ＤＣコンバータ２２を設けることによって、定電圧直流電源装置１１０の出力電圧がスタンバイ電圧まで低下しても記録制御部１００及びサブ制御部１５０の電源（制御回路用電圧５Ｖ）を安定供給することが可能になる。スタンバイモード時に定電圧直流電源装置１１０の電圧を低下させた場合にもＤＣ−ＤＣコンバータ２２が正常に動作可能な範囲において、制御回路用電圧５Ｖを記録制御部１００及びサブ制御部１５０に安定供給することができる。
定電圧直流電源装置１１０からＰＦモータ５７、ＣＲモータ６３、及び記録ヘッド６２への電力供給路（４２Ｖライン）には、定電圧直流電源装置１１０からＰＦモータ５７、ＣＲモータ６３、及び記録ヘッド６２への電力供給を遮断可能なスイッチＳＷ１が設けられている。ＤＣ−ＤＣコンバータ２２から記録制御部１００への電力供給路（５Ｖライン）には、ＤＣ−ＤＣコンバータ２２から記録制御部１００への電力供給を遮断可能な「メイン制御電力ＯＮ／ＯＦＦ手段」としてのスイッチＳＷ２が設けられている。スイッチＳＷ１は、記録制御部１００又は後述する動作モード制御回路１５１によってＯＮ／ＯＦＦ制御され、スイッチＳＷ２は、後述する動作モード制御回路１５１によってのみＯＮ／ＯＦＦ制御される。
【００３５】
サブ制御部１５０は、インクジェット式記録装置５０の動作モードを制御する「動作モード制御手段」としての動作モード制御回路１５１を有している。ここで、インクジェット式記録装置５０の動作モードについて説明する。通常モードは、インクジェット式記録装置５０の電源がＯＮの状態で、記録紙Ｐやディスクトレイ７に装着された光記録ディスクＤのラベル面への記録を実行する際に選択されるモードであり、記録実行中や記録実行直後、或いは、ユーザによってインクジェット式記録装置５０の操作が行われている間は、通常モードが維持される。
一方、スタンバイモードは、インクジェット式記録装置５０の消費電力を低下させて省電力を図るために選択される動作モードであるが、当該実施例におけるインクジェット式記録装置５０は、２種類のスタンバイモードを備えている。１つは、インクジェット式記録装置５０の電源がＯＮの状態で、例えば、記録紙Ｐやディスクトレイ７に装着された光記録ディスクＤのラベル面への記録が行われないまま、かつ、ユーザによる操作も行われずに一定時間（例えば３分間）経過した時点で、電源ＯＮ状態のまま記録が行われず停止している間の駆動系（ＰＦモータ５７、ＣＲモータ６３、及び記録ヘッド６２）への電力供給を遮断してインクジェット式記録装置５０の省電力を図るために選択されるスタンバイモードである（以下、省電力モードとする）。もう１つのスタンバイモードは、駆動系に加えてさらに制御系（記録制御部１００）への電力供給を遮断してインクジェット式記録装置５０のさらなる省電力を図るために選択されるスタンバイモードである（以下、スリープモードとする）。
定電圧直流電源装置１１０の出力電圧は、インクジェット式記録装置５０の動作モードが通常モードである間は、「定格電圧」としての４２Ｖに維持され、インクジェット式記録装置５０の動作モードがスタンバイモードである間は、「スタンバイ電圧」としての約１３Ｖに維持される。したがって、インクジェット式記録装置５０は、動作モードがスタンバイモードへ移行すると、見かけ上は電源ＯＦＦ状態となるが、内部的には定電圧直流電源装置１１０は出力電圧がスタンバイ電圧まで低下した状態で動作している状態となる。
当該実施例に示したインクジェット式記録装置５０においては、記録紙Ｐやディスクトレイ７に装着された光記録ディスクＤのラベル面への記録が行われないまま、かつ、ユーザによる操作も行われずに一定時間（例えば３分間）経過した場合は、動作モードを通常モードから省電力モードへ移行させる条件としている。動作モード制御回路１５１は、この条件が成立した時点でインクジェット式記録装置５０の動作モードを省電力モードへ移行させる。そして、動作モード制御回路１５１は、記録紙Ｐやディスクトレイ７に装着された光記録ディスクＤのラベル面への記録を実行すべくユーザによってインクジェット式記録装置５０の操作（例えば、電源スイッチ３５やトレイスイッチ３６を押下する操作）が行われた時点で、動作モードを省電力モードから通常モードへ移行させる。
【００３６】
また、サブ制御部１５０は、リモコン受光器６を介してリモコン１２０からの制御信号を受信する「受信手段」としてのリモコン受信回路１５２を有しており、リモコン受信回路１５２がリモコン１２０から動作モードを通常モードからスタンバイモードへ移行させる動作モード制御信号（以下、スタンバイモード制御信号とする）を受信した場合は、動作モードを通常モードからスリープモードへ移行させる条件としている。動作モード制御回路１５１は、リモコン１２０からスタンバイモード制御信号を受信した場合には、動作モードを通常モードからスリープモードへ移行させ、リモコン１２０から動作モードを通常モードへ移行させる動作モード制御信号（以下、通常モード制御信号とする）を受信した場合には、動作モードをスタンバイモードからスリープモードへ移行させる。
さらに、当該実施例に示したインクジェット式記録装置５０は、通常モードで動作中に電源スイッチ３５を操作した場合は、スリープモードへ移行し、スリープモードで動作中に電源スイッチ３５を操作した場合には、通常モードへ移行するようになっている。つまり、当該実施例に示したインクジェット式記録装置５０は、一般的なビデオテープレコーダ等の電子機器と同様に、電源をＯＦＦしても内部的にはスタンバイ状態（スリープモード）で動作しており、リモコン１２０からの制御信号を受信した場合等の所定の通常モード移行条件が成立した時点で、いつでも通常モードへ移行できる状態となっている。
【００３７】
動作モード制御回路１５１は、インクジェット式記録装置５０の動作モードを通常モードから省電力モードへ移行させる条件が成立すると、電圧制御回路２１による定電圧スイッチング直流電源回路１１０の出力電圧を４２Ｖの定格電圧から約１３Ｖのスタンバイ電圧まで低下させるべく、電圧制御回路２１を制御する（詳細は後述）。同時に、記録制御部１００は、スイッチＳＷ１をＯＦＦ制御して、定電圧スイッチング直流電源回路１１０からＰＦモータ５７、ＣＲモータ６３、及び記録ヘッド６２への電力供給を遮断する。
また、動作モード制御回路１５１は、インクジェット式記録装置５０の動作モードを通常モードからスリープモードへ移行させる条件が成立すると、電圧制御回路２１による定電圧スイッチング直流電源回路１１０の出力電圧を４２Ｖの定格電圧から約１３Ｖのスタンバイ電圧まで低下させるべく、電圧制御回路２１を制御し、スイッチＳＷ１をＯＦＦ制御して、定電圧スイッチング直流電源回路１１０からＰＦモータ５７、ＣＲモータ６３、及び記録ヘッド６２への電力供給を遮断するとともに、スイッチＳＷ２をＯＦＦ制御して、ＤＣ−ＤＣコンバータ２２から記録制御部１００への電力供給を遮断する。定電圧スイッチング直流電源回路１１０の出力電圧を４２Ｖから約１３Ｖまで低下させることによって、定電圧スイッチング直流電源回路１１０の消費電力が低減される。
また、定電圧スイッチング直流電源回路１１０からＰＦモータ５７、ＣＲモータ６３、及び記録ヘッド６２への電力供給を遮断することによって、ＰＦモータ５７、ＣＲモータ６３、及び記録ヘッド６２の消費電力が０となる。さらに、ＤＣ−ＤＣコンバータ２２から記録制御部１００への電力供給を遮断することによって、「メイン制御回路」としての記録制御部１００の消費電力も０となる。つまり、スタンバイモード（スリープモード）で動作中のインクジェット式記録装置５０は、定電圧スイッチング直流電源回路１１０の消費電力が低減された状態でサブ制御部１５０のみが動作している状態となるので、通常モードで動作している場合と比較して大幅に消費電力を低減させることができる。
そして、スタンバイモード（スリープモード）で動作している間は、サブ制御部１５０が動作しているので、リモコン１２０からの制御信号をリモコン受信回路１５２で受信することが可能な状態となっている。リモコン受信回路１５２が通常モード制御信号をリモコン１２０から受信した際には、動作モード制御回路１５１は、電圧制御回路２１による定電圧スイッチング直流電源回路１１０を約１３Ｖのスタンバイ電圧から４２Ｖの定格電圧まで上昇させるべく、電圧制御回路２１を制御する（詳細は後述）。
同時に、スイッチＳＷ１をＯＮ制御して、定電圧スイッチング直流電源回路１１０からＰＦモータ５７、ＣＲモータ６３、及び記録ヘッド６２へ電力を供給するとともに、スイッチＳＷ２をＯＮ制御して、ＤＣ−ＤＣコンバータ２２から記録制御部１００へ電力を供給する。ＰＦモータ５７、ＣＲモータ６３、及び記録ヘッド６２を定格電圧４２Ｖで動作させることが可能な状態となり、記録制御部１００による記録制御がいつでも実行可能な状態となる。
【００３８】
このように、インクジェット式記録装置５０の主たる制御を実行する記録制御部１００と、リモコン１２０からの動作モード制御信号を受信する手段を有するサブ制御部１５０とを別個独立させ、記録制御部１００への電力供給をＯＮ／ＯＦＦ可能なスイッチＳＷ２を設ける。そして、通常モードで動作中にリモコン１２０からスタンバイモード制御信号を受信した時点で、サブ制御回路１５０の動作モード制御回路１５１は、動作モードを通常モードからスタンバイモード（スリープモード）へ移行させるとともに、スイッチＳＷ２をＯＦＦ制御して記録制御部１００への電力供給を遮断する。
それによって、スタンバイモード時に消費電力が高い記録制御部１００への電源供給をＯＦＦしてインクジェット式記録装置５０の消費電力を大幅に低減させつつ、リモコン１２０からの動作モード制御信号を受信することが可能になる。したがって、リモコン１２０によって制御可能な構成を有するインクジェット式記録装置５０において、スタンバイモード時の消費電力を大幅に低減させることができる。また、スタンバイモード時には、定電圧直流電源装置１１０の出力電圧を定格電圧（４２Ｖ）からスタンバイ電圧（約１３Ｖ）まで低下させることによって、スタンバイモード時のインクジェット式記録装置５０の消費電力をより低減させることができる。
【００３９】
つづいて、引き続き図５を参照しながら電圧制御回路２１についてさらに説明する。  
電圧制御回路２１は、記録制御部１００が出力する電圧制御信号ＭＣＮＴ、又はサブ制御部１５０が出力する電圧制御信号ＳＣＮＴによってＯＮ／ＯＦＦ制御可能な構成を有している。具体的には、電圧制御回路２１は、電圧制御信号ＭＣＮＴと電圧制御信号ＳＣＮＴとを論理和した制御信号を出力するデジタル論理回路ＩＣ１と、デジタル論理回路ＩＣ１の出力信号によってＯＮ／ＯＦＦ制御される電圧制御用トランジスタＱ１とを有している。
電圧制御信号ＭＣＮＴ、又は電圧制御信号ＳＣＮＴのいずれか一方、又は両方がＨｉｇｈレベル（５Ｖ）になっている間は、電圧制御用トランジスタＱ１のベース電流が流れて電圧制御用トランジスタＱ１がＯＮし、電圧制御用トランジスタＱ１のコレクタに接続されている定電圧直流電源装置１１０の電圧制御端子ＰＳＣが０Ｖに短絡され、定電圧直流電源装置１１０の出力電圧が定格電圧（４２Ｖ）に維持される。電圧制御信号ＭＣＮＴ、又は電圧制御信号ＳＣＮＴの両方がＬｏｗレベル（０Ｖ）になっている間は、電圧制御用トランジスタＱ１のベース電流が流れないので電圧制御用トランジスタＱ１がＯＦＦし、電圧制御用トランジスタＱ１のコレクタに接続されている定電圧直流電源装置１１０の電圧制御端子ＰＳＣがハイインピーダンスとなり、定電圧直流電源装置１１０の出力電圧がスタンバイ電圧（約１３Ｖ）に維持される。したがって、記録制御部１００及びサブ制御部１５０のいずれからも定電圧直流電源装置１１０の出力電圧を制御することができる。
【００４０】
電源スイッチ３５は、ユーザが手で操作（押下）している間だけ接点が構成される接点回路を有し、操作状態で接点回路が構成されて電圧制御端子ＰＳＣが０Ｖに短絡され、非操作状態で接点回路がオープンとなり電圧制御端子ＰＳＣがハイインピーダンスとなる。電圧制御端子ＰＳＣと電源スイッチ３５との間には、電圧制御端子ＰＳＣから電源スイッチ３５へのみ電流が流れる如くダイオードＤ１が設けられているとともに、ダイオードＤ１のカソード側がプルアップ抵抗Ｒ２により制御回路用電圧５Ｖでプルアップされている。
電圧制御回路２１は、電圧制御用トランジスタＱ１のコレクタがダイオードＤ１のアノード側に接続されており、電圧制御回路２１がＯＮしている状態、つまり、電圧制御用トランジスタＱ１がＯＮしている状態では、ダイオードＤ１のアノード側が０Ｖに短絡される。電源スイッチ３５を操作している間は、電圧制御端子ＰＳＣがダイオードＤ１及び電源スイッチ３５の接点回路を経由して０Ｖに短絡される。
一方、電源スイッチ３５を操作していない状態で電圧制御用トランジスタＱ１がＯＮしている状態では、電圧制御端子ＰＳＣがダイオードＤ１のアノード側で０Ｖに短絡され、ダイオードＤ１のカソード側の電圧はプルアップ電圧（５Ｖ）に維持される。つまり、ダイオードＤ１のアノード側は、電源スイッチ３５Ｃを操作している間、又は電圧制御回路２１がＯＮしている間は、ともに０Ｖに短絡される。
一方、ダイオードＤ１のカソード側は、電源スイッチ３５を操作している間のみ０Ｖに短絡され、それ以外の間は５Ｖに維持される。したがって、ダイオードＤ１のカソード側の電圧を検出することで電源スイッチ３５の操作状態を検出することができる。記録制御部１００は、このダイオードＤ１のカソード側の電圧を入力端子ＭＩＰからダイオードＤ２を介して入力して電源スイッチ３５の操作状態を検出し、サブ制御部１５０も同様に、ダイオードＤ１のカソード側の電圧を入力端子ＳＩＰから入力して電源スイッチ３５の操作状態を検出する。入力端子ＭＩＰ（ダイオードＤ２のアノード側）は、プルアップ抵抗Ｒ１により制御回路用電圧５Ｖでプルアップされている。
尚、プルアップ抵抗Ｒ１、及びプルアップ抵抗Ｒ２には、ＤＣ−ＤＣコンバータ２２の出力から直接５Ｖが印加され、デジタル論理回路ＩＣ１、及びデジタル論理回路ＩＣ２（後述）の電源電圧５Ｖも同様にＤＣ−ＤＣコンバータ２２の出力から直接５Ｖが供給されてスイッチＳＷ２がＯＦＦ状態でも電力が供給される回路構成となっている。
【００４１】
サブ制御部１５０は、動作モード制御回路１５１による動作モードが通常モードで、電源スイッチ３５が操作されたことを検出した場合、又はリモコン１２０からスタンバイモード制御信号を受信した場合には、動作モード制御回路１５１による動作モードを通常モードからスリープモードへ移行させ、電圧制御回路２１の制御状態をＯＮからＯＦＦへ切り換える。一方、動作モード制御回路１５１による動作モードがスリープモードで、電源スイッチ３５が操作されたことを検出した場合、又はリモコン１２０から通常モード制御信号を受信した場合には、動作モード制御回路１５０による動作モードをスリープモードから通常モードへ移行させ、電圧制御回路２１の制御状態をＯＦＦからＯＮへ切り換える。つまり、インクジェット式記録装置５０は、サブ制御部１５０によって、電源スイッチ３５の操作、又はリモコン１２０による遠隔操作のいずれによっても動作モードを通常モードからスリープモードへ、或いはスリープモードから通常モードへ切り換えることができるようになっている。
【００４２】
また、通常モードで動作中に動作モード制御回路１５１による動作モードが通常モードで電源スイッチ３５が操作されたことを検出した場合、又は動作モード制御回路１５１によるスタンバイモード移行条件以外の所定のスタンバイモード移行条件が成立した場合には、動作モード制御回路１５１による動作モードを通常モードからスタンバイモード（省電力モード）へ移行させ、電圧制御回路２１の制御状態をＯＮからＯＦＦへ切り換えることが記録制御部１００からも実行可能な構成になっている。
さらに、電源スイッチ３５の操作で定電圧直流電源装置１１０の電圧制御端子ＰＳＣを直接０Ｖに短絡することができるようになっているので、例えば、スタンバイモード（スリープモード）時にサブ制御部１５０が何らかの異常によって正常に動作していない場合でも電源スイッチ３５の操作によって、定電圧直流電源装置１１０の出力電圧をスタンバイ電圧から定格電圧まで上昇させることができる。この場合、動作モード制御回路１５１の制御状態に関わらず定電圧出力電源装置１１０の出力電圧が定格電圧となった際にスイッチＳＷ１及びスイッチＳＷ２がＯＮする回路構成にしておけば、スリープモード時にサブ制御部１５０が正常に動作していない場合でも電源スイッチ３５の操作によって、インクジェット式記録装置５０の動作状態を通常モードに強制的に移行させることも可能である。
さらに、インクジェット式記録装置５０は、スリープモードである間は、サブ制御部１５０をリセットする信号を無効にする「リセット信号制御回路」としてのデジタル論理回路ＩＣ２を備えている。デジタル論理回路ＩＣ２は、リセット信号ＲＳＴとサブ制御部１５０が出力するリセット無効信号ＤＳＬとを論理和した制御信号をサブ制御部１５０のリセット信号ＳＲＳＴとして出力する。サブ制御部１５０は、リセット信号ＳＲＳＴがＬｏｗレベル（０Ｖ）になるとリセットされるようになっている。サブ制御部１５０は、スリープモード時は、つまり、記録制御部１００が動作していない間は、リセット無効信号ＤＳＬをＨｉｇｈレベル（５Ｖ）に維持する。
したがって、リセット要因が発生してリセット信号ＲＳＴがＬｏｗレベル（０Ｖ）になってもデジタル論理回路ＩＣ２が出力するサブ制御１５０のリセット信号ＳＲＳＴがＨｉｇｈレベルに維持されるので、サブ制御部１５０がリセットされない。それによって、スリープモード時に記録制御部１００及びサブ制御部１５０の両方が動作していない状態になることを防止することができる。
【００４３】
尚、本発明は上記実施例に限定されることなく、特許請求の範囲に記載した発明の範囲内で、種々の変形が可能であり、それらも本発明の範囲内に含まれるものであることは言うまでもない。
【図面の簡単な説明】
【００４４】
【図１】インクジェット式記録装置の斜視図である。
【図２】本体カバーを取り外したインクジェット式記録装置の斜視図である。
【図３】インクジェット式記録装置の側断面概略図である。
【図４】インクジェット式記録装置の記録制御部のブロック図である。
【図５】インクジェット式記録装置の電源系統図である。
【符号の説明】
【００４５】
４  メモリスロットカバー、６  リモコン受光器、７  ディスクトレイ、８  給紙カセット、１６  インクカートリッジ、１７  インクチューブ、２１  電圧制御回路、２２  ＤＣ−ＤＣコンバータ、３５  電源スイッチ、５０  インクジェット式記録装置、５１  キャリッジガイド軸、５２  プラテン、５３  搬送駆動ローラ、５４  搬送従動ローラ、５５  排紙駆動ローラ、５６  排紙従動ローラ、５７  ＰＦモータ、６１  キャリッジ、６２  記録ヘッド、６３  ＣＲモータ、８３  給紙ローラ、１００  記録制御部、１０１  ＲＯＭ、１０２  ＲＡＭ、１０３  インタフェース部、１０４  ＭＰＵ、１０５  ＤＣユニット、１０６  ＰＦモータドライバ、１０７  ＣＲモータドライバ、１０８  ヘッドドライバ、１０９  不揮発性メモリ、１１０  定電圧直流電源装置、１２０  リモコン、１５０  サブ制御部、１５１  動作モード制御回路、１５２  リモコン受信回路、ＳＷ１、ＳＷ２  スイッチ、Ｐ  記録紙、Ｑ１  電圧制御用トランジスタ、Ｘ  主走査方向、Ｙ  副走査方向
【図１】
2005218162.tif 000003
【図２】
2005218162.tif 000004
【図３】
2005218162.tif 000005
【図４】
2005218162.tif 000006
【図５】
2005218162.tif 000007